(57)【要約】【課題】撮影者の動作状態により、撮像機能部ユニットおよび表示機能部ユニットの省電力制御を行う。【解決手段】被写体を表す光学像を画像データに変換する撮像センサ２１３を有する撮像機能部ユニット１０１と、画像データを表示する表示部（モニタ）２２２を有する表示機能部ユニット１０２と有し、撮像機能部ユニット１０１と表示機能部ユニット１０２とが分離可能な撮像装置１００であって、表示機能部ユニット１０２は、自身の動きや揺れを検出できる加速度センサ２２９と、加速度センサ２２９の出力値の積算量の移動平均値に基づいて表示機能部ユニット１０２を保持する使用者の状態を判断して省電力制御を行うサブＣＰＵ２２５とを有する。【選択図】図４
2014147028.tif 000002
【特許請求の範囲】
【請求項１】
被写体の光学像を電気信号に変換する撮像手段を備える撮像機能部ユニットと、前記電気信号を表示する表示手段を備える表示機能部ユニットとを有し、前記撮像機能部ユニットと前記表示機能部ユニットとが分離可能な撮像装置であって、
前記表示機能部ユニットは、
前記表示機能部ユニットの動きを検出できるセンサと、
前記センサの出力値の積算量の移動平均値に基づいて前記表示手段を保持する使用者の状態を判断して電力消費量を削減するための省電力制御を行う制御手段と、
を有することを特徴とする撮像装置。
【請求項２】
前記表示機能部ユニットの前記制御手段は、前記センサの出力値の積算量の移動平均値が閾値を超えた場合には、省電力制御として、前記撮像機能部ユニットへの画像データの送信と使用者による前記表示機能部ユニットへの操作の受け付けを制限または禁止することを特徴とする請求項１に記載の撮像装置。
【請求項３】
前記表示機能部ユニットの前記制御手段は、前記センサの出力値の積算量の移動平均値が閾値を超えた場合には、前記撮像機能部ユニットに省電力制御の実行を要求する信号を無線送信し、
前記撮像機能部ユニットは、前記信号を受信すると、電力消費量を削減するための省電力制御を行う制御手段を有することを特徴とする請求項１または２に記載の撮像装置。
【請求項４】
前記撮像機能部ユニットの前記制御手段は、前記表示機能部ユニットから前記信号を受信すると、省電力制御として撮像機能を制限することを特徴とする請求項３に記載の撮像装置。
【請求項５】
前記撮像機能部ユニットの前記制御手段は、前記表示機能部ユニットから前記信号を受信すると、省電力制御として前記表示機能部ユニットへの画像データの送信を間欠的に行うことを特徴とする請求項３または４に記載の撮像装置。
【請求項６】
前記表示機能部ユニットの前記制御手段は、前記表示手段に表示する前記撮像機能部ユニットから受信した画像データの更新を間欠的にすることを特徴とする請求項５に記載の撮像装置。
【請求項７】
前記撮像機能部ユニットは、前記撮像機能部ユニットの動きを検出するセンサを有し、前記撮像機能部ユニットの前記制御手段は、前記省電力制御を実行している間において前記センサの出力値に基づいて前記撮像機能部ユニットに異常が生じたか否かを判定し、異常が生じたと判定した場合には、前記表示機能部ユニットに対して通知することを特徴とする請求項３から６のいずれか１項に記載の撮像装置。
【請求項８】
被写体を表す光学像を電気信号に変換する撮像手段を備える撮像機能部ユニットと、前記電気信号を表示する表示手段を備える表示機能部ユニットとを有し、前記撮像機能部ユニットと前記表示機能部ユニットとが分離可能な撮像装置の制御方法であって、
前記表示機能部ユニットの動きをセンサにより検出するステップと、
前記センサの出力値の積算量の移動平均値が閾値を超えたか否かを判定するステップと、
前記センサの出力値の積算量の移動平均値が閾値を超えた場合には、省電力制御を行うステップと、
を有することを特徴とする撮像装置の制御方法。
【発明の詳細な説明】
【技術分野】
【０００１】
本発明は、撮像装置と撮像装置の制御方法に関する。詳しくは、撮像機能を有する撮像機能部と、撮像機能部から分離可能で表示装置などを有する表示機能部とを備え、分離された表示機能部の動きに応じて、撮像機能部と表示機能部とを節電させることができる撮像装置と、この撮像装置の制御方法に関する。
【背景技術】
【０００２】
従来、情報端末装置のアイドリング状態（所定期間の未操作状態等）を検知することで、装置の電源をＯＦＦにする、または、液晶表示器をＯＦＦにする事で省電力制御を行う制御方法が実用化されている。このほかにも、情報端末に接続された液晶表示器の輝度調整やフレームレートを下げる事で、情報端末本体の低消費電力化を図る制御方法も実用化されている。
例えば、特許文献１には、取扱いに伴う動きを検出するセンサの出力に基づいて、画像撮像装置の消費電力を抑制する方法が開示されている。特許文献１に記載の画像撮影装置は、撮像装置に搭載されたセンサの出力量によって、使用者が液晶表示器のモニタリングに注意を払っているか否かを判定する。そして、注意を払っていないと想定される場合には、装置内部のクロックジェネレータのクロック周波数を可変する。こにより、画像撮像装置の動作速度を落とし、消費電力を抑制する。
【先行技術文献】
【特許文献】
【０００３】
【特許文献１】特開２００８−０４８３２２号公報
【発明の概要】
【発明が解決しようとする課題】
【０００４】
ところで、撮像装置には、撮像機能を有する部分（以下、撮像機能部ユニット）から、操作系の一部を含む表示器（以下、表示機能部ユニット）を分離でき、分離した表示機能部ユニットから撮像機能部ユニットを遠隔制御（撮影等）可能なものがある。このような構成の撮像装置においては、撮像機能部ユニットの省電力制御、分離された表示機能部ユニットの省電力制御を各々で実施する必要がある。上述の特許文献１に開示された従来技術では、撮像機能部ユニットは、省電力モードになると、コントローラである液晶表示器ユニットからの命令を受け付けなくなってしまう。
上記実情に鑑み、本発明が解決しようとする課題は、撮像機能部ユニットから分離された表示機能部ユニットを保持する使用者の状態に応じて、撮像機能部ユニットと液晶表示器ユニットの省電力制御が可能な撮像装置を提供することである。
【課題を解決するための手段】
【０００５】
上記課題を解決するために、本発明は、被写体の光学像を電気信号に変換する撮像手段を備える撮像機能部ユニットと、前記電気信号を表示する表示手段を備える表示機能部ユニットとを有し、前記撮像機能部ユニットと前記表示機能部ユニットとが分離可能な撮像装置であって、前記表示機能部ユニットは、前記表示機能部ユニットの動きを検出できるセンサと、前記センサの出力値の積算量の移動平均値に基づいて前記表示手段を保持する使用者の状態を判断して電力消費量を削減するための省電力制御を行う制御手段と、を有することを特徴とする。
【発明の効果】
【０００６】
本発明によれば、撮影者が撮像機能部ユニットから離れた位置から撮影を行う場合でも、撮影者の動作状態に応じた省電力制御が可能となり、撮影可能時間がより長くなる撮像装置を提供することができる。
【図面の簡単な説明】
【０００７】
【図１】第１の実施形態にかかる撮像装置１００の外観を模式的に示す図である。
【図２】第１の本実施形態にかかる表示機能部ユニット１０２の外観を模式的に示す図である。
【図３】第１の実施形態にかかる撮像機能部ユニット１０１の外観を模式的に示す図である。
【図４】第１の実施形態にかかる撮像機能部ユニット１０１と表示機能部ユニット１０２の機能ブロック図である。
【図５】第１の実施形態にかかる撮像装置１００の省電力制御の内容を示すフローチャートである。
【図６】第１の実施形態にかかる撮像装置１００省電力制御の状態の推移を模式的に示すグラフである。
【図７】本発明の第２の実施形態にかかる撮像装置１００の撮像機能部ユニット１０１のブロック図である。
【図８】第２の実施形態にかかる撮像装置１００の省電力制御の処理を示すフローチャートである。
【発明を実施するための形態】
【０００８】
（第１実施形態）
まず、図１〜図３を参照して、本発明の第１の実施形態にかかる撮像装置１００の構成について説明する。
図１は、本発明の第１の実施形態にかかる撮像装置１００の外観を模式的に示す図である。なお、図１（ａ）は上面図、図１（ｂ）は正面図、図１（ｃ）は下面図、図１（ｄ）は左側面図、図１（ｅ）は右側面図である。
図２は、撮像機能部ユニット１０１から分離した状態の表示機能部ユニット１０２の構成を模式的に示す図である。なお、図２（ａ）は上面図、図２（ｂ）は正面図、図２（ｃ）は下面図、図２（ｄ）は左側面図、図２（ｅ）は右側面図である。
図３は、表示機能部ユニット１０２が分離した状態の撮像機能部ユニット１０１の構成を模式的に示す図である。図３（ａ）は上面図、図３（ｂ）は正面図、図３（ｃ）は下面図、図３（ｄ）は左側面図、図３（ｅ）は右側面図である。
【０００９】
図１〜図３に示すように、本実施形態にかかる撮像装置１００は、撮像機能部ユニット１０１と、表示機能部ユニット１０２との２つのユニットで構成される。表示機能部ユニット１０２は、撮像機能部ユニット１０１から着脱自在に分離可能である。
【００１０】
図２に示すように、表示機能部ユニット１０２は、表示部（モニタ）２２２と、各種操作系ＳＷ１０４〜１０９と、メモリカード格納室１１０と、バッテリー格納室１１１と、接続端子部１１９と、固定ＳＷ１１２とを含む。このほか、表示機能部ユニット１０２は、加速度センサ２２９などを有する（図４参照）。
表示部（モニタ）２２２は、撮像機能部ユニット１０１が撮像した画像や各種メニューなどを表示できる。表示部（モニタ）２２２は、たとえば液晶表示装置が適用される。
各種操作系ＳＷ１０４〜１０９は、使用者が撮像機能部ユニット１０１の操作に用いる操作部材である。表示機能部ユニット１０２が撮像機能部ユニット１０１から分離した状態では、使用者は、各種操作系ＳＷ１０４〜１０９を、撮像機能部ユニット１０１の遠隔操作に用いることができる。
メモリカード格納室１１０には、撮像機能部ユニット１０１が撮像した画像データを保存するメモリカードを挿入できる。
バッテリー格納室１１１には、表示機能部ユニット１０２の各部へ電力を供給するサブバッテリー２２８（図４参照）が格納される。
接続端子部１１９は、撮像機能部ユニット１０１と有線で通信可能に接続するための端子部である。
固定ＳＷ１１２は、表示機能部ユニット１０２を撮像機能部ユニット１０１に接続して固定するための操作部材である。
【００１１】
図３に示すように、撮像機能部ユニット１０１は、操作系ＳＷ１１３〜１１５と、レリーズＳＷ１１６と、モードダイヤルＳＷ１１７と、光学レンズ２０２と、接続端子部１１９と、バッテリー格納室１２０と、無線通信部２１７（図４参照）とを有する。
操作系ＳＷ１１３〜１１５は、使用者が撮像機能部ユニット１０１の操作に用いる操作部材である。
レリーズＳＷ１１６（シャッターＳＷ）は、使用者が撮像を行うための操作部材である。レリーズＳＷ１１６は、２つの接点（第１の接点と第２の接点）を有する操作部材である。レリーズＳＷ１１６が半押し状態で第１の接点がＯＮになり、撮像機能部ユニット１０１はＡＦや測光等を行う。レリーズＳＷ１１６が全押し状態で第２の接点がＯＮになり、撮像機能部ユニット１０１はシャッタ２０３（図４参照）を駆動する。
モードダイヤルＳＷ１１７は、使用者が撮影モードの切り替えに使用する操作部材である。
光学レンズ２０２は、撮像機能部ユニット１０１に設けられる撮像センサ２１３（図４参照。図１〜図３においては省略）に被写体の光学像を結像させる。
接続端子部１１９は、表示機能部ユニット１０２と有線で通信可能に接続するための接続端子である。
バッテリー格納室１２０には、撮像機能部ユニット１０１の各部への電力供給を行うメインバッテリー２１１（図４参照）が格納される。また、メインバッテリー２１１は、表示機能部ユニット１０２が接続されている状態では、表示機能部ユニット１０２に電力を供給できる。
【００１２】
次に、撮像機能部ユニット１０１と表示機能部ユニット１０２の機能構成について、図４を参照して説明する。図４は、撮像機能部ユニット１０１と表示機能部ユニット１０２の機能構成を模式的に示すブロック図である。
【００１３】
撮像機能部ユニット１０１は、カメラＣＰＵ２０７（制御手段）と、ＲＯＭ２０８と、ＲＡＭ２０９とを含む。カメラＣＰＵ２０７（制御手段）は、撮像機能部ユニット１０１の全体的な制御を行う。ＲＯＭ２０８には、撮像機能部ユニット１０１を制御するためのコンピュータプログラム（コンピュータソフトウェア）が格納されている。カメラＣＰＵ２０７は、ＲＯＭ２０８に格納されているこのコンピュータプログラムを読み出し、ＲＡＭ２０９を作業領域として用いて実行する。これにより、各部の制御や、後述する処理が実現する。また、カメラＣＰＵ２０７は、表示機能部ユニット１０２のサブＣＰＵ２２５とともに、後述する省電力制御を実行する。
【００１４】
モータドライバ２０１は、カメラＣＰＵ２０７の制御にしたがって、主に、光学レンズ２０２の絞り、ズーム、フォーカス、および、シャッタ２０３等のモータ駆動制御を行う。
ストロボユニット２０４は、カメラＣＰＵ２０７の制御にしたがって、被写体に向けて光を照射する。
測光センサ２０５は、カメラＣＰＵ２０７の制御にしたがって、被写体の輝度を測定する。
ＡＦユニット２０６は、カメラＣＰＵ２０７の制御にしたがって、合焦動作を行う。
撮像センサ２１３は、光学レンズ２０２を通じて結像した被写体の光学像を、光電変換によりアナログ信号である画像データ（電気信号）に変換する。撮像センサ２１３には、各種撮像素子が適用される。
ＡＦＥ／ＴＧ２１４は、撮像センサ２１３が出力した画像データ（電気信号）を、アナログ信号からデジタル信号に変換する。
画像処理部（ＤＳＰ）２１０は、デジタル信号に変換された画像データに対して、各種画像処理を行う。
電源回路部／充電制御部２１２には、メインバッテリー２１１が接続される。そして、電源回路部／充電制御部２１２は、撮像機能部ユニット１０１の各部への電力の供給を行う。さらに、電源回路部／充電制御部２１２は、撮像機能部ユニット１０１に表示機能部ユニット１０２が接続された状態において、表示機能部ユニット１０２のサブバッテリー２２８の充電の制御も行う。
操作系ＳＷ２１５は、使用者が撮像機能部ユニット１０１の操作に用いる操作部材である。カメラＣＰＵ２０７は、操作系ＳＷ２１５の操作を検出すると、操作された操作系ＳＷ２１５と操作内容に対応付けられた所定の処理を実行する。
周辺機能部は、前記各部以外の所定の機能を有する部分である。
【００１５】
インタフェース２１８は、表示機能部ユニット１０２との通信を行う。例えば、インタフェース２１８は、画像処理が施された画像データを表示機能部ユニット１０２に送信したり、表示機能部ユニット１０２との間で制御コマンドを送受信したりする。インタフェース２１８には、表示機能部ユニット１０２と無線通信を行う無線通信部２１７や、表示機能部ユニット１０２が接続された場合に有線通信を行う接続端子部１１９や、バッファ回路（図略）などを含む。
【００１６】
表示機能部ユニット１０２は、サブＣＰＵ２２５と、ＲＯＭ２２３と、ＲＡＭ２２４とを含む。サブＣＰＵ２２５は、表示機能部ユニット１０２の全体的な制御を行う。ＲＯＭ２２３には、表示機能部ユニット１０２を制御するためのコンピュータプログラム（コンピュータソフトウェア）が格納されている。サブＣＰＵ２２５は、ＲＯＭ２２３に格納されているこのコンピュータプログラムを読み出し、ＲＡＭ２２４を作業領域として用いて実行する。これにより、各部の制御や、撮像機能部ユニット１０１の遠隔操作や、後述する処理が実現する。また、サブＣＰＵ２２５は、カメラＣＰＵ２０７とともに、後述する省電力制御を実行する。
【００１７】
インタフェース２１９は、撮像機能部ユニット１０１のインタフェース２１８と通信を行う。例えば、インタフェース２１９は、画像処理が施された画像データを撮像機能部ユニット１０１から受信したり、撮像機能部ユニット１０１との間で制御コマンドの送受信をしたりする。インタフェース２１９は、撮像機能部ユニット１０１と無線通信を行う無線通信部２２０や、撮像機能部ユニット１０１に接続された状態で有線通信を行う接続端子部１１９や、バッファ回路（図略）などを有する。
【００１８】
表示ドライバ２２１は、表示部（モニタ）２２２に接続されている。そして、表示ドライバ２２１は、サブＣＰＵ２２５の制御にしたがって、表示部（モニタ）２２２を駆動する。
表示部（モニタ）２２２には、たとえば液晶表示装置などが適用される。表示部（モニタ）２２２は、所定の画像処理が施されて撮像機能部ユニット１０１から送信された画像データや、各種操作メニューなどを表示する。
【００１９】
加速度センサ２２９は、使用者の取り扱いに伴って生じる表示機能部ユニット１０２の揺れや動きを検出する。
【００２０】
操作系ＳＷ２２６は、使用者が撮像装置１００を操作するために操作する操作部材である。操作系ＳＷ２２６には、前記のとおり、各種操作系ＳＷ１０４〜１０９を含む。また、操作系ＳＷ２２６は、表示機能部ユニット１０２が撮像機能部ユニット１０１から分離された状態において、撮像機能部ユニット１０１の操作系ＳＷ２１５の機能を代用できるように設定することができる。これにより、使用者は、操作系ＳＷ２２６を操作することによって、撮像機能部ユニット１０１を遠隔操作できる。なお、操作系ＳＷ２２６は、タッチパネル方式であってもよい。この場合には、表示部（モニタ）２２２にタッチパネルを適用することができる。サブＣＰＵ２２５は、操作系ＳＷ２２６の操作を検出すると、操作系ＳＷ２２６の種類と操作内容に対応付けられた所定の処理を実行する。
メモリカードユニット２３０は、受信した画像データを外部メディア（メモリカードなど）に保存することができる。
電源回路部２２７には、サブバッテリー２２８が接続される。そして、電源回路部２２７は、サブバッテリー２２８の電力を各部に供給する。
【００２１】
なお、本実施形態では、画像処理部（ＤＳＰ）２１０が撮像機能部ユニット１０１に設けられ、メモリカードユニット２３０が表示機能部ユニット１０２に設けられる構成を示す。ただし、これらはどちらのユニットに配置されても良く、またこれらが両方のユニットに配置される構成であっても良い。
【００２２】
次に、本発明の実施形態にかかる撮像装置１００の制御方法（省電力制御方法）について、図５を参照して説明する。図５は、本発明の第１の実施形態にかかる撮像装置１００の制御方法の処理を示すフローチャートである。この処理を実行するためのコンピュータプログラム（コンピュータソフトウェア）は、あらかじめ、撮像機能部ユニット１０１のＲＯＭ２０８と、表示機能部ユニット１０２のＲＯＭ２２３に格納されている。カメラＣＰＵ２０７は、ＲＯＭ２０８からこのコンピュータプログラムを読み出し、ＲＡＭ２０９を作業領域として用いて実行する。また、サブＣＰＵ２２５は、このコンピュータプログラムをＲＯＭ２２３から読み出し、ＲＡＭ２２４に展開して実行する。これにより、この処理が実現する。
【００２３】
ステップＳ５０１において、サブＣＰＵ２２５は、撮像機能部ユニット１０１と表示機能部ユニット１０２が分離されているか否かを判定する。分離されている場合にはステップＳ５０２に進み、分離されていない場合にはステップＳ５０６に進む。
【００２４】
ステップＳ５０２においては、サブＣＰＵ２２５は、表示機能部ユニット１０２に搭載された加速度センサ２２９の出力に基づいて、表示機能部ユニット１０２の揺れ量を検出する。具体的には例えば、サブＣＰＵ２２５は、所定時間ごとに加速度センサ２２９の出力値の積算量の移動平均値を算出する。そして、サブＣＰＵ２２５は、出力値の積算量の移動平均値が、あらかじめ設定されている閾値を超えたか否かを判定する。加速度センサ２２９の出力値の積算量の移動平均値が大きい場合とは、例えば、撮像機能部ユニット１０１が固定され、使用者が撮影のために表示機能部ユニット１０２を保持して撮影ポイントまで移動している場合等が考えられる。この場合には、撮影者は表示機能部ユニット１０２の表示部（モニタ）２２２に注意を払っていないと想定される。このため、高品位な表示は不要となる。加速度センサ２２９の出力値の積算量の移動平均値が閾値を超えた場合には、ステップＳ５０３に進む。出力値の積算量の移動平均値が閾値以下である場合には、ステップＳ５０６に進む。
【００２５】
ステップＳ５０３において、サブＣＰＵ２２５は、撮像機能部ユニット１０１が特定動作を実行しているか否かを判定する。ここでいう特定動作とは、表示機能部ユニット１０２からの制御によるズーム動作や、合焦動作や、測光動作などである。すなわち、使用者が構図の選択を行っていると想定される動作や、撮像（レリーズＳＷ１１６の操作）を行っていると想定される動作である。
サブＣＰＵ２２５は、無線通信部２２０を介して撮像機能部ユニット１０１と無線通信を行い、撮像機能部ユニット１０１の現在の動作状態に関する情報を取得する。そして、サブＣＰＵ２２５は、取得した情報に基づいて、撮像機能部ユニット１０１が特定動作を実行しているか否かを判定する。
撮像機能部ユニット１０１が特定動作中である場合にはステップＳ５０４に進み、特定動作中でない場合にはステップＳ５０６に進む。
【００２６】
ステップＳ５０４においては、表示機能部ユニット１０２は、撮像機能部ユニット１０１に対して、無線通信部２２０を介して省電力制御を実行する制御コマンド（スタンバイ要求）を送信する。撮像機能部ユニット１０１のカメラＣＰＵ２０７は、無線通信部２１７を介して前記制御コマンド（スタンバイ要求）を受信すると、撮像機能部ユニット１０１を省電力モード（スタンバイ状態）に移行させる。
【００２７】
省電力モードは、通常撮像モードに比較して、電力消費量の少ない動作モードである。撮像機能部ユニット１０１は、省電力モード（スタンバイ状態）に移行すると、次のような動作状態となる。
（１）カメラＣＰＵ２０７は、撮像センサ２１３からの画像データの読み出しの制限を行う。通常撮影モードにおいては、動画表示のために画像データを連続的に読み出していたが、省電力モードにおいては、画像データを所定の時間ごとに間欠的に読み出す。また、省電力モードにおいては、通常撮影モードに比較して、撮像センサ２１３から読み出す画素数を減少させる。これにより、画像データの読み出し量を減少させる。
（２）カメラＣＰＵ２０７は、電源回路部／充電制御部２１２を介して、撮影に関する機能であるＡＦユニット２０６や測光センサ２０５への電力供給を停止する。さらに、カメラＣＰＵ２０７は、電源回路部／充電制御部２１２を介して、光学レンズ２０２の絞りの駆動、ズーム動作、フォーカス動作、シャッタ駆動を行うためのモータドライバ２０１への電源供給を停止する。これにより、省電力モードにおける漏洩電流を低減させる。
（３）無線通信部２１７は、撮像センサ２１３からの間欠的な電気信号読出し制限に従い、同様の周期で、表示機能部ユニット１０２への画像データの無線送信を間欠的に行う。
これにより、消費電力量の削減を図る。
【００２８】
撮像機能部ユニット１０１が省電力モードに移行した後、ステップＳ５０５に進む。
【００２９】
ステップＳ５０５においては、サブＣＰＵ２２５は、表示機能部ユニット１０２を省電力モード（スタンバイ状態）に移行させる。
表示機能部ユニット１０２は、省電力モード（スタンバイ状態）に移行すると、次のような動作状態となる。
（１）サブＣＰＵ２２５は、撮像機能部ユニット１０１からの画像データを無線通信により間欠的に受信する。
（２）サブＣＰＵ２２５は、撮像機能部ユニット１０１への画像データの無線送信を禁止する。
（３）サブＣＰＵ２２５は、表示ドライバ２２１を介して、表示部（モニタ）２２２の画像表示を、画像データの受信の周期で更新する（間欠的に更新する）。さらに、サブＣＰＵ２２５は、表示部（モニタ）２２２に表示する画像の縮小や、減色表示（白黒表示）や、表示部（モニタ）２２２のバックライトの輝度の低減などの処理を行う。
（４）さらに、サブＣＰＵ２２５は、操作系ＳＷ１１３〜１１７への操作を、通常撮影モードへの復帰のための操作以外の操作を受け付けないか、または受け付ける操作を制限する。
これらにより、消費電力量の削減を図る。また、操作系ＳＷ１１３〜１１７の誤操作を防止する。
【００３０】
なお、サブＣＰＵ２２５は、次の（１）（２）のいずれかを充足した場合に、撮像機能部ユニット１０１と表示機能部ユニット１０２を、省電力モードから通常撮影モードに復帰させる。
（１）加速度センサ２２９の出力値の所定時間当たりの積算量の移動平均値が、設定された閾値以下になった場合。
（２）操作系ＳＷ１１３〜１１７に対して、あらかじめ使用者が設定した特殊操作が行われた場合。ここでいう特殊操作とは、省電力モードから通常撮影モードに復帰させるための操作をいう。
【００３１】
ステップＳ５０６においては、サブＣＰＵ２２５は、省電力制御は実行せず、表示機能部ユニット１０２を通常撮影モードで動作させる。同様に、カメラＣＰＵ２０７は、撮像機能部ユニット１０１を通常撮影モードで動作させる。
ステップＳ５０２において、加速度センサ２２９からの出力量の積算値の移動平均量が閾値以下の場合や、ステップＳ５０３において、カメラＣＰＵ２０７が撮影機能に関する特定動作を行っている場合には、使用者は撮影のための動作を行っていると想定される。例えば、撮影者が、構図の選択などを行っていると想定される。そこで、サブＣＰＵ２２５とカメラＣＰＵ２０７は、本発明の実施形態にかかる省電力制御を実行せず、通常撮影モードで撮像機能部ユニット１０１と表示機能部ユニット１０２とを動作させる。
また、表示機能部ユニット１０２が撮像機能部ユニット１０１から分離されていない場合（ステップＳ５０１において「Ｎｏ」の場合）も、サブＣＰＵ２２５とカメラＣＰＵ２０７は、通常撮影モードで動作させる。
【００３２】
ここで、使用者や撮像装置１００の動きと、撮像装置１００の動作モードとの関係について、図６を参照して説明する。図６は、本実施形態における、使用者の動作状態による省電力制御判断の時間推移図を示す。図６の縦軸は、加速度センサの出力積算量の移動平均値であり、横軸は時間である。
使用者や表示機能部ユニット１０２が静止している間は、加速度センサ２２９からの出力は無く、積算量の移動平均値の変化も無い。
撮像機能部ユニット１０１が三脚などに固定され、使用者が自己撮影のために表示機能部ユニット１０２を保持して撮影ポイントまで移動している間は、加速度センサ２２９からの出力が大きくなる。そして、移動している時間内での出力の積算値の移動平均値も次第に大きくなる。この移動平均値が予め設定した閾値を上回った時点で、表示機能部ユニット１０２のサブＣＰＵ２２５は、使用者が表示部（モニタ）２２２に注意を払わない動作状況であると判断する（図５のステップＳ５０２において「ＹＥＳ」）。そして、サブＣＰＵ２２５は、省電力制御（省電力モードに移行するための制御）を開始する。
使用者が撮影ポイントまでの移動を完了し、構図選択のために静止した場合は、加速度センサ２２９からの出力は小さくなり、出力の積算量の移動平均値も次第に小さくなる。この移動平均値が閾値を下回った時点で、表示機能部ユニット１０２のサブＣＰＵ２２５は、使用者が撮影を開始するものと判断し、通常撮影モードに移行する。この際、構図変更のため等で、使用者が瞬間的に表示機能部ユニット１０２を大きく動かした場合でも、移動平均値は大きくは変動しない。このため、この移動平均値が閾値を上回ることはない。したがって、表示機能部ユニット１０２と撮像機能部ユニット１０１とが省電力モードに移行することは無い。
【００３３】
以上、本発明の第１の実施形態によれば、使用者が表示機能部ユニット１０２を保持して撮像機能部ユニット１０１から離れた位置から撮影を行う場合でも、撮影者の動作状態に応じた省電力制御が可能となる。このため、電力消費量の削減を図ることができ、撮影可能時間がより長くなる撮像装置を提供することができる。
【００３４】
（第２の実施形態）
次に、本発明の第２の実施形態について、図７と図８を参照して説明する。
図７は、本発明の第２の実施形態にかかる撮像装置１００の撮像機能部ユニット１０１の構成を模式的に示すブロック図である。なお、第１の実施形態と比較すると、撮像機能部ユニット１０１に加速度センサ２３１が設けられた構成が相違する（図４参照）。それ以外は、第１の実施形態と共通の構成が適用される。このため、共通の構成には同じ符号を付し、説明は省略する。
加速度センサ２３１は、撮像機能部ユニット１０１の揺れや動きに応じた大きさの値の信号を出力する。
図８は、第２の実施形態にかかる省電力制御のフローチャートである。なお、図８においては、ステップＳ５０４以降を示す。ステップＳ５０１〜Ｓ５０５は、第１の実施形態と同じである（図５参照）。
【００３５】
使用者が、撮像機能部ユニット１０１を三脚などに固定し、自己撮影のために撮像機能部ユニット１０１から離れた場合を想定する。この場合には、前記のとおり、撮像機能部ユニット１０１は省電力モードに移行する。この際、風等によって三脚が倒れると、撮像機能部ユニット１０１に設けられた加速度センサ２３１からはある所定値以上の大きな信号が出力される。
そこで、ステップＳ５０７において、カメラＣＰＵ２０７は、省電力モードにおいて、加速度センサ２３１の出力信号の検出を行い、検出した出力信号が所定の閾値を超えたか否かを判定する。加速度センサ２３１の出力信号が所定の閾値以下である場合には、ステップＳ５０７の処理を繰り返す。加速度センサ２３１の出力信号が所定の閾値を超えた場合には、ステップＳ５０８に進む。なお、この所定の閾値は、三脚の倒れを検出できるように適宜設定される。
ステップＳ５０８においては、撮像機能部ユニット１０１のカメラＣＰＵ２０７は、無線通信に関わる機能（無線通信部２１７など）を強制的に立ち上げる。そして、ステップＳ５０９に進む。
ステップＳ５０９においては、撮像機能部ユニット１０１のカメラＣＰＵ２０７は、分離されている表示機能部ユニット１０２に対して、無線通信部２１７を介して、撮像機能部ユニット１０１に異常が生じた旨の情報を無線送信する。
ステップＳ５１０においては、表示機能部ユニット１０２のサブＣＰＵ２２５は、撮像機能部ユニット１０１からの前記情報を受信すると、異常があったことを報知する動作を行う。例えば、サブＣＰＵ２２５は、表示部（モニタ）２２２に「撮像機能部ユニット１０１に異常が生じたこと」を表示させたり、アラーム音を出力したりする。これにより、表示機能部ユニット１０２は、使用者に対し、撮像機能部ユニット１０１に異常が生じたことを即座に通知できる。
【００３６】
本発明の第２の実施形態によれば、第１の実施形態と同様の効果を奏する。これに加えて、第２の実施形態によれば、撮像機能部ユニット１０１に異常が生じた場合には、撮像機能部ユニット１０１が省電力モードであっても、異常の発生を即座に通知できる。
【００３７】
以上、本発明の好ましい実施形態について説明したが、本発明はこれらの実施形態に限定されず、その要旨の範囲内で種々の変形及び変更が可能である。例えば、撮像装置の種類は特に限定されるものではない。本発明は、いわゆるデジタル一眼レフカメラや、ミラーレスカメラや、いわゆるコンパクトデジカメ、デジタルビデオカメラなど、各種撮像装置に適用できる。
【００３８】
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを呼出して実行する処理である。この場合、そのプログラム、及び該プログラムを記憶した記憶媒体は本発明を構成することになる。
【産業上の利用可能性】
【００３９】
本発明は、表示機能部を分離可能な撮像装置及び撮像装置の制御方法に有効である。そして、本発明によれば、使用者が撮像機能部ユニットから離れた位置から撮影を行う場合でも、撮影者の動作状態に応じた省電力制御が可能となり、撮影可能時間がより長くなる撮像装置を提供することができる。
【符号の説明】
【００４０】
１００：撮像装置、１０１：撮像機能部ユニット、１０２：表示機能部ユニット、２０１：モータドライバ、２０２：光学レンズ、２０５：測光センサ、２０６：ＡＦユニット、２１３：撮像センサ、２１７：撮像機能部ユニット部に搭載される無線通信部、２１７：表示機能部ユニットに搭載される無線通信部、２２２：液晶表示器（モニタ）、２２９：撮像機能部ユニットに搭載される加速度センサ、２３１：表示機能部ユニットに搭載される加速度センサ
【図１】
2014147028.tif 000003
【図２】
2014147028.tif 000004
【図３】
2014147028.tif 000005
【図４】
2014147028.tif 000006
【図５】
2014147028.tif 000007
【図６】
2014147028.tif 000008
【図７】
2014147028.tif 000009
【図８】
2014147028.tif 000010